(57)【要約】【課題】着用者の動きに追従して着用者に良好にフィットし、着用者の肌との間に隙間が生じにくい突出吸収層を有しており、該突出吸収層上に排出された液が吸収性物品から漏れ出しにくい吸収性物品を提供すること。【解決手段】液保持性の吸収層２及び液不透過性の防漏層３を有する本体５と、本体５の肌当接面側に設けられ、吸収体６１及び弾性伸縮部材６３を有する縦長の突出吸収層６とを具備し、弾性伸縮部材６３は、両端部間において弾性収縮力を発現して吸収体６１を押し上げるようになされており、吸収体６１は、弾性収縮力を発現する領域における弾性伸縮部材に接合されておらず、突出吸収層６は、該突出吸収層６の両側部又は非肌当接面側から本体５の吸収層２に達するように延出した液移送用の延出部６２ａ，６２ａを有している吸収性物品。【選択図】　　図２
2004008507.tif 000002
【特許請求の範囲】
【請求項１】
液保持性の吸収層及び液不透過性の防漏層を有する本体と、該本体の肌当接面側に設けられた縦長の突出吸収層とを具備する吸収性物品において、
前記突出吸収層は、液保持性の吸収体と、該吸収体の肌当接面側を被覆する液透過性の表面シートと、該吸収体の非肌当接面側に、該突出吸収層の長手方向に沿って配された弾性伸縮部材とを具備しており、
前記弾性伸縮部材は、その長手方向の両端部において前記吸収層に固定され、該両端部間において弾性収縮力を発現して前記吸収体を押し上げるようになされており、
前記吸収体は、前記弾性伸縮部材が弾性収縮力を発現する領域において、該弾性伸縮部材に接合されておらず、
前記突出吸収層は、該突出吸収層の両側部又は該突出吸収層の非肌当接面側から前記本体の前記吸収層に達するように延出した液移送用の延出部を有している吸収性物品。
【請求項２】
前記延出部は、前記突出吸収層における前記表面シートを、前記吸収体の長手方向の両側から延出させて形成されている請求項１記載の吸収性物品。
【請求項３】
前記延出部は、前記突出吸収層の全長に亘って形成されている請求項１又は２記載の吸収性物品。
【請求項４】
前記突出吸収層の非肌当接面側に、左右の延出部が互いに接近した括れ部分が形成されている請求項１〜３の何れか記載の吸収性物品。
【請求項５】
前記弾性伸縮部材は、弾性部材を有する面状の水平部と、上端部が該水平部に断面Ｔ字状に連設され下端部が前記吸収層に固定された起立部とを有している請求項１〜４の何れか記載の吸収性物品。
【請求項６】
前記弾性伸縮部材の両端部が固定された部位又はその外側に、前記吸収層が圧縮されて形成された凹溝を有する請求項１〜５の何れか記載の吸収性物品。
【請求項７】
液保持性の吸収層及び液不透過性の防漏層を有する本体と、該本体の肌当接面側に設けられた縦長の突出層とを具備する吸収性物品において、
前記突出層は、該突出層の長手方向に沿って配された弾性伸縮部材と、該弾性伸縮部材の肌当接面側を被覆する液透過性の表面シートとを具備しており、
前記弾性伸縮部材は、その長手方向の両端部において前記吸収層に固定され、該吸収層に固定された両端部間において弾性収縮力を発現して前記表面シートを押し上げるようになされており、
前記突出層は、該突出層の両側部又は該突出層の非肌当接面側から、前記本体の前記吸収層に達するように延出した液移送用の延出部を有している吸収性物品。
【発明の詳細な説明】
【０００１】
【発明の属する技術分野】
本発明は、着用者の動きに追従して着用者に良好にフィットする突出吸収層を具備し、その突出吸収層と着用者の肌との間に隙間が生じにくく、また、その突出吸収層上に排出された液が吸収性物品から漏れ出しにくい液漏れ防止性能に優れた吸収性物品に関する。
【０００２】
【従来の技術及び発明が解決しようとする課題】
従来、液保持性の吸収層及び該吸収層の下に設けられた防漏層とからなる生理用ナプキン等の吸収性物品が広く用いられている。
しかし、従来の生理用ナプキンは、着用者が激しい運動をした場合等におけるショーツの変形や股間部の動きに対して、生理用ナプキンが追随することができず、生理用ナプキンがズレて液漏れが生じるという問題があった。
【０００３】
そこで、このような問題を解決すべく、特開平１１−１０４１６８号公報には、上層部と下層部とからなる２層構造の吸収性物品であって、弾性部材の作用により上層部を下層部から離間させ、その上層部を着用者にフィットさせるようにした吸収性物品が提案されている。
しかし、この提案に斯かる吸収性物品においては、上層部の吸収体に生じたシワにより該上層部の肌当接面と着用者の肌との間に隙間が生じて、そこから漏れが誘発される場合がある。また、短時間に多量の液が排出された場合等には、上層部が吸収した液又は上層部が充分に吸収しきれない液が下層部に移行し、その下層部に移行した液が下層部の吸収体に充分に吸収されずに、液漏れを生じる恐れがある。
【０００４】
従って、本発明の目的は、着用者の動きに追従して着用者に良好にフィットする突出吸収層（又は突出層）を具備し、その突出吸収層（又は突出層）と着用者の肌との間に隙間が生じにくく、また、その突出吸収層（又は突出層）上に排出された液が吸収性物品から漏れ出しにくい、液漏れ防止性能に優れた吸収性物品を提供することにある。
【０００５】
【課題を解決するための手段】
本発明は、液保持性の吸収層及び液不透過性の防漏層を有する本体と、該本体の肌当接面側に設けられた縦長の突出吸収層とを具備する吸収性物品において、前記突出吸収層は、液保持性の吸収体と、該吸収体の肌当接面側を被覆する液透過性の表面シートと、該吸収体の非肌当接面側に、該突出吸収層の長手方向に沿って配された弾性伸縮部材とを具備しており、前記弾性伸縮部材は、その長手方向の両端部において前記吸収層に固定され、該両端部間において弾性収縮力を発現して前記吸収体を押し上げるようになされており、前記吸収体は、前記弾性伸縮部材が弾性収縮力を発現する領域において、該弾性伸縮部材に接合されておらず、前記突出吸収層は、該突出吸収層の両側部又は該突出吸収層の非肌当接面側から前記本体の前記吸収層に達するように延出した液移送用の延出部を有している吸収性物品を提供することにより、上記の目的を達成したものである（以下、第１発明というときは、この発明をいう）。
【０００６】
また、本発明は、液保持性の吸収層及び液不透過性の防漏層を有する本体と、該本体の肌当接面側に設けられた縦長の突出層とを具備する吸収性物品において、前記突出層は、該突出層の長手方向に沿って配された弾性伸縮部材と、該弾性伸縮部材の肌当接面側を被覆する液透過性の表面シートとを具備しており、前記弾性伸縮部材は、その長手方向の両端部において前記吸収層に固定され、該吸収層に固定された両端部間において弾性収縮力を発現して前記表面シートを押し上げるようになされており、前記突出層は、該突出層の両側部又は該突出層の非肌当接面側から、前記本体の前記吸収層に達するように延出した液移送用の延出部を有している吸収性物品を提供することにより、上記の目的を達成したものである（以下、第２発明というときは、この発明をいう）。
【０００７】
【発明の実施の形態】
以下、本発明をその好ましい実施形態に基いて説明する。
第１発明の一実施形態としての生理用ナプキン１は、図１及び図２に示すように、液保持性の吸収層２及その片面側に配された液不透過性の防漏層３を有する本体５と、該本体５の肌当接面側に設けられた縦長の突出吸収層６とを具備する。
【０００８】
吸収層２は、液透過性の本体表面シート２１と液保持性の本体吸収体２２とを具備してなる。本体表面シート２１は、本体吸収体２２の肌当接面に直接又は液透過性のシート材を介して積層されている。防漏層３は、液不透過性の裏面シート３１からなる。吸収層２及び防漏層３は、それぞれ縦長の形状を有しており、本体５及び生理用ナプキン１も同様に縦長の形状を有している。本体吸収体２２は、両端部が円弧状とされた矩形状をなし、本体表面シート２１と裏面シート３１との間に挟持固定されている。本体吸収体２２は、本体５の長手方向のほぼ全域（エンドシール部５１，５１を除く）に亘るように配されている。
【０００９】
本体５は、その長手方向の一端から他端に向かって順に前方部Ａ、排泄部対向部（着用者の排出部に対向配置される部位）Ｂ及び後方部Ｃを有している。吸収層２の長手方向の両側部には、弾性部材４１を有する立体ギャザー形成用のシート材４２が固定されており、排泄部対向部Ｂにおいて、該シート材４２が弾性部材４１の弾性収縮力により起立して左右一対の立体ギャザー４が形成されている。また、裏面シート３１は、排泄部対向部Ｂにおいて、吸収層２の長手方向の左右両側に張り出すように延出して一対のウイング部３２を形成している。
尚、本体表面シート２１は、後述する突出吸収層６の表面シート６２及びその延出部６２ａと連続しており、これらは一枚のシートの形態をなしている。また、裏面シート３１は、後方部Ｃにおいて、吸収層２の長手方向の左右両側に張り出すように延出して一対の後部フラップ３３を形成している。後部フラップ３３は、着用時に、ショーツ等の衣類の内表面上に広げて用いられるもので、該後部フラップ３３を設けることで、防漏性を向上させることができる。
【００１０】
突出吸収層６は、縦長の形状を有し、本体５の肌当接面側における幅方向の中央部に、長手方向に延びるように設けられている。突出吸収層６は、前方部Ａから後方部Ｃに亘って設けられている。突出吸収層６は、少なくとも排泄部対向部Ｂに設けられていることが好ましい。
【００１１】
突出吸収層６は、図２に示すように、液保持性の吸収体６１と、吸収体６１の肌当接面側を被覆する液透過性の表面シート６２と、吸収体６１の非肌当接面側に、該突出吸収層６の長手方向に沿って配された弾性伸縮部材６３とを具備している。本体５、本体吸収体２２、吸収体６１等の肌当接面側とは、それぞれにおける、着用時に着用者の肌側に向けられる面側であり、吸収体６１、突出吸収層６の非肌当接面側とは、それぞれにおける、着用者の肌側に向けられる面とは反対側（ナプキンの場合には、ショーツ側）に向けられる面側である。
【００１２】
吸収体６１は、本体吸収体２２よりも細幅の略帯状をなしており、排泄部対向部Ｂにおける該吸収体６１の幅は、同部位における本体吸収体２２の幅の１／５〜１／２程度である。
【００１３】
弾性伸縮部材６３は、弾性部材６４を有する面状の水平部６５と、上端部が該水平部６５に断面Ｔ字状に一体的に連設され下端部が本体２の前記吸収層２に固定された起立部６６とを有している。起立部６６の下端部は、弾性伸縮部材６３の幅方向の両側に分岐して本体吸収体２２上に拡がっており、その本体吸収体２２上に公知の接合手段により固定されている。この弾性伸縮部材６３は、例えば、広幅のシート材における幅方向中央付近の所定幅の領域上に、該シート材の長手方向に沿って弾性部材６４を伸長状態で配した状態において、該領域の左右両側に位置する外側領域を、弾性部材６４を挟み込むように折り返して、該領域上に積層接着することによって水平部６５を形成すると共に、該シート材における前記外側領域よりも更に外側に位置する所定幅の領域同士を貼り合わせて起立部６６を形成することにより得られる。
【００１４】
水平部６５には、帯状の弾性部材を一本のみ配設してもよいが、本実施形態における水平部６５には、図示の如く、糸状の弾性部材６４を間隔を開けて複数本（例えば左右に２本又は３本づつ）配設してあり、また、弾性伸縮部材６３形成用のシート材として、有孔フィルムや不織布等の液透過性のシート材を用いている。そのため、水平部６５は、その厚み方向に液が貫通して透過可能である。
このため、吸収体６１で飽和となった液が、本体吸収体２２に受け渡され、突出吸収層６に吸収された液が延出部６２ａを介して吸収層２に液移行可能である。
【００１５】
また、弾性伸縮部材６３は、吸収体６１の非肌当接面に対向する面（水平部６５の上面）が、吸収体６１の幅とほぼ同じ幅を有している。そのため、有効な吸収面積を維持でき、吸収体６１が安定的に突出でき、身体へ面でフィットすることができ、吸収効果が高い。
【００１６】
弾性伸縮部材６３は、その長手方向の両端部において吸収層２に固定されている。具体的には、本体５の前方部Ａ（又は前方部Ａと排泄部対向部Ｂとの境界付近）及び後方部Ｃそれぞれに、表面シート６２，弾性伸縮部材の水平部６５，表面シート６２の延出部６２ａ及び弾性伸縮部材の起立部６６，起立部６６の分岐した下端部，及び本体吸収体２２がこの順に積層された部分が存在しており、弾性伸縮部材６３は、この積層構造を有する部分に、表面シート６２側からヒートシール加工（加熱加圧加工）を施すことによって固定してある。
【００１７】
前記ヒートシール加工は、加熱された所定パターンの凸条部で加圧して行われ、ヒートシール加工が施された部位は、少なくとも吸収体２が圧縮されて形成された凹溝５２となっている。
前記ヒートシール加工は、本体５に所定形状の凹溝５２を形成する加工であると同時に、弾性伸縮部材６３の両端部を吸収層２に固定する加工でもある。このヒートシール加工により、本体５には、二重部分を有する環状の凹溝５２が形成されており、弾性伸縮部材６３及び弾性部材６４の両端部は、平面視して縦長環状の凹溝５２における、長手方向の前後に位置する略Ｕ字状の部分５２ａ，５２ａに固定されている。
【００１８】
弾性伸縮部材６３は、吸収層２に固定された両端部同士間において、弾性収縮力を発現して前記吸収体６１を押し上げるようになされている。即ち、弾性伸縮部材６３は、伸長状態とされてその両端部を固定されており、その両端部間に位置する領域（以下、中央領域ともいう）は、吸収層２に固定されていないため、弾性収縮力を発現するようになっている。そして、前記中央領域の弾性収縮により、本体５が図１に示すように湾曲すると共に該中央領域における前記水平部６５が、吸収層２から離間する方向（図２の上方に向かう方向）に移動し、これにより、前記中央領域上に配された吸収体６１が、着用者の肌に向かう方向に押し上げられる。
【００１９】
吸収体６１は、弾性伸縮部材６３が弾性収縮力を発現する領域（中央領域）において、該弾性伸縮部材６３に接合されていない。本実施形態における吸収体６１は、弾性伸縮部材６３の水平部６５の幅と同程度の幅を有する縦長の形状をしている。吸収体６１の長手方向の両端部６１ａ，６１ａは、弾性伸縮部材６３の両端が固定された部位５２ａ，５２ａの若干内側に位置し、吸収体６１は、弾性伸縮部材６３に対向する面の全面が弾性伸縮部材６３に接合されていない。尚、吸収体６１は、肌当接面側において、吸収性能を阻害しないようなパターンで塗工された接着剤により表面シート６２と接合されている。
【００２０】
突出吸収層６は、該突出吸収層６の両側部から、前記本体２の吸収層２に達するように延出した液移送用の延出部６２ａを有している。
具体的には、表面シート６２は、突出吸収層６の長手方向の両側から、吸収層２に達するように延出した延出部６２ａ，６２ａを有しており、突出吸収層６に吸収された液が該延出部６２ａ，６２ａを介して吸収層２に移行（拡散）可能になされている。
【００２１】
本実施形態における延出部６２ａは、表面シート６２を、吸収体６１の長手方向の両側から延出させて形成されている。また、左右の延出部６２ａ，６２ａは、各々突出吸収層６の全長に亘って（より詳細には、突出吸収層６の固定された両端部間に位置する領域（中央領域）の長手方向の全域に亘って）形成されている。更に、突出吸収層６の非肌当接面側には、左右の延出部６２ａ，６２ａが互いに接近した括れ部分Ｋが形成されている（図２参照）。
尚、本実施形態においては、表面シート６２は、吸収体６１の肌当接面側を被覆する部分と延出部６２ａ，６２ａを構成する部分とが一体的に形成された一枚のシートからなるものであるが、複数枚のシートを連結して一枚のシート状にしたものを用いて、吸収体６１の肌当接面側を被覆する部分と延出部６２ａ，６２ａを構成する部分を形成することもできる。
【００２２】
表面シート６２（又は吸収体６１の肌当接面を当接する部分と延出部６２ａを構成する部分とを異なる材料から構成する場合の該延出部６２ａ）の形成材料としては、吸収層２への液の移行を可能にする観点と製造加工する観点から、親水性で液透過性の表面材として、従来、生理用ナプキン、使い捨ておむつ等に用いられているものを制限なく用いることができるが、特に親水性の不織布であることが好ましい。
【００２３】
本実施形態の生理用ナプキン１は、通常の生理用ナプキンと同様にショーツ等に固定して着用される。
そして、着用中には、突出吸収層６が弾性伸縮部材６３の作用により着用者の肌側に向かって突出して存在するため、該突出吸収層６は、着用者の動きに追従して着用者の排泄部ないしその近傍に良好にフィットする。
【００２４】
その際、突出吸収層６の吸収体６１が、弾性伸縮部材６３が弾性収縮力を発現する領域において弾性伸縮部材６３に接合されていないため、吸収体６１にシワが生じにくい。そのため、突出吸収層６の肌当接面と着用者の肌との間に隙間が生じにくく、特に液が着用者の身体表面を伝って流れることによる液漏れや不快感を確実に防止することができる。
また、吸収体６１を、該吸収体６１の非肌当接面側に配した弾性伸縮部材６３により押し上げる構成であるため、着用中に、吸収体６１における吸収性能に寄与する部分の幅が減少して吸収性能が低下するといった不都合が生じない上に、突出吸収層６の着用者の肌に対するフィット性に一層優れたものとなる。
【００２５】
また、液移送用の延出部６２ａを介して、突出吸収層６に吸収された液が吸収層２に移行可能になされており、しかも弾性伸縮部材６３が本体吸収体２２上に固定されているため、長時間の着用により突出吸収層６が多量の液を吸収した場合や突出吸収層６上に短時間に多量の液が排出されたような場合等においても、その液を本体吸収体２２の広い範囲に分散させて効率的に吸収させることができる。
【００２６】
本実施形態における延出部６２ａは、表面シート６２を、吸収体６１の長手方向の両側から延出させて形成されており、左右の延出部６２ａ，６２ａは、各々突出吸収層６の全長に亘って形成されている。
また、突出吸収層６の非肌当接面側に、左右の延出部６２ａ，６２ａが互いに接近した括れ部分Ｋが形成されている（括れ部分Ｋにおける両延出部は、起立部とも接近している）。このため、括れ部分が吸収層２の幅方向に広がらず、延出部６２ａを介して移送する液により漏れが誘発されることがない。
【００２７】
また、本実施形態においては、弾性伸縮部材６３の両端部が固定された部位５２ａに、吸収層２が圧縮されて形成された凹溝５２を有するため、液漏れが一層生じにくい。尚、弾性伸縮部材６３の両端固定部位５２ａの外側に、同様の凹溝を形成した場合、例えば固定部位を円弧状に囲むような凹溝を形成した場合にも同様の効果が得られる。
【００２８】
更に、本実施形態においては、弾性伸縮部材６３が、水平部６５と起立部６６とを有する上述の構成を有するため、水平部６５が着用者の排泄部（排泄ポイント）と平面的にフィットし、起立部６６の自由度が高いことから、着用者の動きに対しても自在に対応し、水平部６５が安定的に排泄ポイントと密着状態に維持される。
【００２９】
生理用ナプキン１の各部の形成材料としては、従来の生理用ナプキン、使い捨ておむつ等に用いられているものを特に制限なく用いることができる。
【００３０】
次に、第１発明の他の実施形態の生理用ナプキン１’について、図２及び図３を参照して説明する。尚、図３のＹ−Ｙ線断面図は、図２と同一に表れる。
本実施形態の生理用ナプキン１’については、主として、上述した生理用ナプキン１と異なる点について説明し、同様の点については説明を省略する。特に説明しない点については、上述した生理用ナプキン１についての説明が適宜適用される。
【００３１】
本実施形態の生理用ナプキン１’においては、排泄部対向部Ａに、第１の突出吸収層６Ａが設けられており、後方部Ｃに、第２の突出吸収層６Ｂが設けられている。第１及び第２突出吸収層６Ａ，６Ｂは、それぞれ、長さが異なる以外は、上述した生理用ナプキン１の突出吸収層６と同様の構成を有している。但し、第１突出吸収層６Ａと第２突出吸収層６Ｂとの間に亘るように単一の吸収体６１及び弾性伸縮部材６３が配されており、これらは、両突出吸収層の間の凹溝を形成した部分において、表面シート６２等と共に本体５に一体的に固定されている。
【００３２】
また、第１の突出吸収層６Ａの弾性伸縮部材の両端部は、本体５の吸収層２を圧縮して形成された平面視縦長の凹溝５２における、円弧状の一端部５２ａ及び中央に位置する円弧状の部分５２ｂに固定されており、第２の突出吸収層６Ｂの弾性伸縮部材の両端部は、前記凹溝５２の中央に位置する円弧状の部分５２ｃ及び円弧状の他端部５２ｄに固定されている。
【００３３】
本実施形態の生理用ナプキン１’によれば、第１の突出吸収層６Ａが吸収体６１にシワのない状態で着用者の排泄部に良好にフィットして、生理用ナプキン１と同様の効果が奏されると共に、第２の突出吸収層６Ｂが同様に吸収体にシワのない状態で着用者の排泄部よりも若干背中側にフィットし、その部位で吸収した液を確実に捕捉することができるため、就寝時によく発生する後ろモレという、お尻の隙間を伝った液のモレを確実に防止することができる。
【００３４】
図４は、第２発明の一実施形態としての生理用ナプキンを示す図であり、この実施形態の生理用ナプキン１”は、上述した生理用ナプキン１の突出吸収層６に代えて、該突出吸収層６から吸収体を除いた構成の突出層６Ｃを具備する以外は、上述した生理用ナプキン１と同一の構成を有している。特に説明しない点については、上述した生理用ナプキン１についての説明が適宜適用される。
【００３５】
本実施形態の生理用ナプキン１”によれば、突出層６Ｃが良好に着用者の排泄部にフィットし、突出層６Ｃ上に排出された液が、弾性伸縮部材６３の肌当接面側を被覆する表面シート６２’及び突出層６Ｃの長手方向の両側から本体の吸収層２に達するように延出した延出部６２ａを介して、吸収層２に良好に移行する。また、弾性伸縮部材６３が本体吸収体２２上に固定されている。
そのため、突出層６Ｃ上に短時間に多量の液が排出されたような場合においても、その液を本体吸収体２２の広い範囲に分散させて効率的に吸収させることができ、優れた吸収性能及び漏れ防止性能が得られる。
【００３６】
本発明は、上述した各実施形態に制限されず、各発明の趣旨を逸脱しない範囲で種々変更が可能である。
例えば、第１又は第２発明における弾性伸縮部材６３としては、水平部６５のみからなるものを用いることもでき、更には、シート材を構成要素としない弾性フィルムのみからなるもの等を用いることもできる。また、本発明における弾性伸縮部材６３は、吸収層２に固定された両端部よりも更に外側に向かって延出する部分を有するものでも良い。
【００３７】
また、液移送用の延出部は、突出吸収層６の両側部から延出したものに代えて、突出吸収層６の非肌当接面側から本体５の吸収層２に達するように延出したものであっても良い。図５に示すナプキンにおいては、弾性伸縮部材６３を形成するシート材が親水性の不織布（液が内部を拡散可能な不織布）からなり、起立部６６を形成する部分が液移行用の延出部として機能する。即ち、突出吸収層６が吸収した液が、該起立部６６を構成するシート材を拡散して本体吸収体２２に移行する。
本発明の吸収性物品は、生理用ナプキン（パンティライナーを含む）の他や失禁パッド等、展開型又はパンツ型の使い捨ておむつ等であっても良い。
【００３８】
【発明の効果】
本発明の吸収性物品は、着用者の動きに追従して着用者に良好にフィットする突出吸収層（又は突出層）を具備し、その突出吸収層（又は突出層）と着用者の肌との間に隙間が生じにくく、また、その突出吸収層（又は突出層）上に排出された液が吸収性物品から漏れ出しにくい、液漏れ防止性能に優れたものである。
【図面の簡単な説明】
【図１】図１は、第１発明の一実施形態としての生理用ナプキンを示す斜視図である。
【図２】図２は、図１の生理用ナプキンのＸ−Ｘ線模式断面図である。
【図３】図３は、第１発明の他の実施形態の生理用ナプキンを示す斜視図である。
【図４】図４は、第２発明の一実施形態としての生理用ナプキンを示す図（図２相当図）である。
【図５】図５は、本発明の更に他の実施形態としての生理用ナプキンを示す図（図２相当図）である。
【符号の説明】
１，１’，１”　生理用ナプキン（吸収性物品）
２　吸収層
２１　本体表面シート
２２　本体吸収体
３　防漏層
３１　裏面シート
４　立体ギャザー
５　本体
６，６Ａ〜６Ｃ　突出吸収層又は突出層
６１　吸収体
６２　表面シート
６３　弾性伸縮部材
６５　水平部
６６　起立部
【図１】
2004008507.tif 000003
【図２】
2004008507.tif 000004
【図３】
2004008507.tif 000005
【図４】
2004008507.tif 000006
【図５】
2004008507.tif 000007